(57)【要約】【課題】  物音がない環境下でも、盗聴器の有無を確実に判断する検知方法と装置を提供する。【解決手段】  一定パターンの探査電気信号を発生し、この探査電気信号の波形特性を記録する。この探査電気信号を音波発生器により空気の振動に変換し音波として空気中に発射する。自由空間を伝播する一般電波をアンテナにより受信し、高周波電気信号を検波してその中に含まれる低周波の有意電気信号を検出する。この有意信号と前記波形特性とを比較して、これらが類似する場合は、音波発生器の近傍に、盗聴器が存在する可能性あるとの警告信号を発生する。【選択図】図１
2008250968.tif 000002
【特許請求の範囲】
【請求項１】
盗聴器検知装置では、断続により規定される一定パターンの探査電気信号を電気発振器から発生し、この探査電気信号に関し時間経過に対応する強度変化状態を示す波形特性をあらかじめ基準メモリに記録しておき、前記探査電気信号を音波発生器により空気の振動に変換し音波として自由空間の空気中に発射し、
自由空間を伝播する一般電波をアンテナにより受信し共振回路により特定周波数の電波に同調してこの電波の強弱に応じた微弱な高周波電気信号を生成し、この高周波電気信号を信号再生部により検波してその中に含まれる低周波の有意電気信号を検出し、
任意時間において前記有意信号と前記基準メモリから読み出した前記波形特性とを比較部が比較し、これらが互いに類似する場合は、前記音波発生器の近傍に、空気の振動である音波を音声電気信号に変換してこの音声電気信号を搬送波高周波信号で変調して空間に電波として送信する盗聴器が存在する可能性あるとの警告信号を発生し、通信部がこの警告信号を受けて、前記有意信号と当該盗聴器検知装置のＩＤとをインターネットを介してセンターの管理者コンピュータに送信し、
前記センターのＣＰＵは、前記有意信号と前記ＩＤを受信し、前記ＩＤが顧客ファイルにある識別コードＩＤと一致するかどうかを検索し、このシステムの加入者であることを確認し、次ぎに前記有意信号中に音声信号があれば、音声がスピーカーから聞こえようにし、前記管理者コンピュータ側に常駐している常勤管理者に知らせ、
更に当該ＩＤに該当する属性応報を表示部に表示するとともに、警告部から警報信号Ｒを読出し、表示部に警報を表示して、
前記管理者は属性応報に基き、前記盗聴器検知装置の責任者に電話や電子メールにより伝達するようにしたインターネットを利用した盗聴器の検知方法。
【請求項２】
断続により規定される一定パターンの探査電気信号を発生する電気発振器と、この探査電気信号に関し時間経過に対応する強度変化状態を示す波形特性をあらかじめ記録した基準メモリと、前記探査電気信号を空気の振動に変換し音波として自由空間の空気中に発射する音波発生器と、自由空間を伝播する一般電波を受信してこの電波の強弱に応じた微弱な高周波電気信号を生成するアンテナと、このアンテナと組になり特定周波数の電波に同調してこの電波の強弱に応じた微弱な高周波電気信号を生成する共振回路と、
この高周波電気信号を検波してその中に含まれる低周波の有意電気信号を検出する信号再生部と、任意時間において前記信号再生部が検出した有意信号と前記基準メモリから読み出した前記波形特性とを比較する比較部と、この比較部が所定の原因により警告信号を発生すると、この警告信号を受けて前記有意信号と当該盗聴器検知装置のＩＤとをインターネットを介して外部に送信する通信部とからなり、前記ＣＰＵは当該有意信号と前記波形特性とが類似すると判定した場合は、前記音波発生器の近傍に、空気の振動である音波を音声電気信号に変換しこの音声電気信号を搬送波高周波信号で変調し空間に電波として送信する盗聴器が存在する可能性あるとの警告信号を発生するようにした盗聴器検知装置と、
前記インターネットを形成する通信網と、
前記インターネットを介して前記有意信号と前記ＩＤとを受信する通信制御部１４と、
前記盗聴器検知装置の責任者の属性情報と識別コードＩＤとを予め記憶した顧客ファイルと、記憶装置と、表示部と、警報信号Ｒを記憶する警告部と、スピーカーと、前記通信制御部が受信した前記ＩＤと顧客ファイルから読み出した識別コードＩＤとを比較するセンターＣＰＵとを備えた管理者コンピュータとから構成され、
前記センターＣＰＵは、前記受信したＩＤと前記識別コードＩＤとが互いに一致する場合、前記有意信号と前記ＩＤとを前記記憶装置に記録するとともに、当該ＩＤに該当する属性情報を表示部に表示して、前記警告部から警報信号Ｒを読出し、前記表示部に警報を表示し、前記有意信号中に音声信号があれば前記スピーカーに送り音声がスピーカーから聞こえようにし、前記管理者コンピュータ側に常駐している管理者に知らせるようにし、更に、前記管理者が前記属性情報に基き、前記責任者に電話や電子メールにより伝達できるようにしたインターネットを利用した盗聴器の検知装置。
【請求項３】
断続により規定される一定パターンの探査電気信号を電気発振器から発生し、この探査電気信号に関し時間経過に対応する強度変化状態を示す波形特性をあらかじめ基準メモリに記録しておき、前記探査電気信号を音波発生器により空気の振動に変換し音波として自由空間の空気中に発射し、
自由空間を伝播する一般電波をアンテナにより受信し、このアンテナと組になり特定周波数の電波に同調してこの電波の強弱に応じた微弱な高周波電気信号を共振回路により生成し、この高周波電気信号を信号再生部により検波してその中に含まれる低周波の有意電気信号を検出し、
任意時間において前記信号再生部が検出した有意信号と前記基準メモリから読み出した前記波形特性とを比較部により比較して、当該有意信号と前記波形特性とが類似する場合は、前記音波発生器の近傍に、空気の振動である音声を含む音波を音声電気信号に変換してこの音声電気信号を搬送波高周波信号で変調して空間に電波として送信する盗聴器が存在する可能性あるとの警告信号を発生し、この警告信号と前記有意信号とを入出力部により外部に送信するようにした盗聴器検知方法。
【請求項４】
断続により規定される一定パターンの探査電気信号を発生する電気発振器と、この探査電気信号に関し時間経過に対応する強度変化状態を示す波形特性をあらかじめ記録した基準メモリと、前記探査電気信号を空気の振動に変換し音波として自由空間の空気中に発射する音波発生器と、自由空間を伝播する一般電波を受信してこの電波の強弱に応じた微弱な高周波電気信号を生成するアンテナと、このアンテナと組になり特定周波数の電波に同調してこの電波の強弱に応じた微弱な高周波電気信号を生成する共振回路と、
この高周波電気信号を検波してその中に含まれる低周波の有意電気信号を検出する信号再生部と、警告信号を外部に送る入出力部と、任意時間において前記信号再生部が検出した有意信号と前記基準メモリから読み出した前記波形特性とを比較する比較部とからなり、
この比較部は当該有意信号と前記波形特性とが類似すると判定した場合は、前記音波発生器の近傍に、空気の振動である音声を含む音波を音声電気信号に変換しこの音声電気信号を搬送波高周波信号で変調し空間に電波として送信する盗聴器が存在する可能性あるとの警告信号を発生し、この警告信号と前記有意信号とを前記入出力部は外部に送信可能とした盗聴器検知装置。
【発明の詳細な説明】
【技術分野】
【０００１】  本発明は、盗聴器検知方法とその装置、更にはインターネットを利用した盗聴器検知方法とその装置に関する。特に、盗聴器検知装置から一定パターンの音波や音楽を発生して、この音波や音楽が搬送される電波を捉えることで、盗聴器を探索して確実に盗聴器の存在の有無を判定するインターネットを利用した盗聴器検知方法とその装置に関するものである。
【背景技術】
【０００２】  現代社会では、経済活動とビジネスの根幹には情報がり、各種情報は文字と映像や図形と音声により人間と人間の間で交換されている。特に商談などにおいては、最初の状況説明は文書による情報交換を行い、結論の手前では生身の人間による重要な話し合いが盛んに行われている。
従って、このような重要な口答によるビジネス情報が外部に漏れることは完全に防止する必要がある。【０００３】  さて、映像に関しては、例えば室内などに隠して設置された盗撮装置は、カメラと送信部とからなり、室内に人が出入りしなくても、カメラは室内の映像を撮影している。盗撮装置の送信部は取り込まれた映像データを電波として外部に常時送信している。盗撮検出・防止装置側では、映像電波を捉えその後検波した映像を監視側の表示装置に表示して観察できる。従って映像に関する盗撮装置のカメラの場合は、常時十分な観察が可能で、商談用の室内へ人が入る前から予め盗撮装置のカメラの有無をほぼ確実に確認することができた。【０００４】  これに対し、音声に関しては、室内などに隠して設置された盗聴器は、一般にマイクと送信部とからなり、室内への人の出入りがなく、静かな部屋であれば、マイクへの音声入力は殆ど無く、あっても周りの僅かな振動音であり、ノイズとの区別がつかない低い強度の音である。
盗聴器の送信部は取り込まれた音声データを電波として外部に常時送信している。従って盗聴検出・防止装置側では、音声を運ぶ電波を捉えその後検波した音声を監視側のスピーカーから傍受して管理者が警備していた。
しかしながら、物音が無い場合があり、たとえ盗聴器があっても音声が小さい場合はノイズとの区別が困難で、盗聴器の検知は盗撮装置の検知に較べて容易ではなかった。【０００５】  音波による未確認物体や装置の探索は、海中にいる潜水艦の発見に多様されているが本願のような音波と電波とを使用した探査方法と装置は先行文献が今のところ未発見である。
【発明の開示】
【発明が解決しようとする課題】
【０００６】  音声に関する従来の盗聴検出・防止装置では、異常な音声電波を捉えることはできるが、室内への人の出入りしなく、静かな部屋であれば、マイクへの音声入力は殆ど無く、あっても周りの振動音であり、ノイズとの区別がつかない低い強度の音であるので、警備員が聞き逃したりするおそれがあった。盗聴器が設定されていてもノイズとして処理され、盗聴器に関する警戒を緩めている間に、商談などのため室内へ人が入り、顧客と営業上の重要な会談を始めてしまい、会談開始後になって初めて、盗聴器（マイク）の有無を確認することがあった。【０００７】  従って、会話の初期に話された重要情報が盗聴器により盗聴されてしまう恐れがあった。
従来の盗聴検出・防止装置では、盗聴器（マイク）による盗聴に対しては予め盗聴器（マイク）の有無を確認することは極めて困難であった。
本願では、確実に盗聴装置の存在の有無を使用者に認知させることができるようにした盗聴器検知方法とその装置及び、インターネットを利用した盗聴器の検知方法とその装置を提供することが目的とする。
【課題を解決するための手段】
【０００８】  この発明は、上記問題を解決するためになされたもので、請求項１では、盗聴器検知装置では、断続により規定される一定パターンの探査電気信号を電気発振器から発生し、この探査電気信号に関し時間経過に対応する強度変化状態を示す波形特性をあらかじめ基準メモリに記録しておき、前記探査電気信号を音波発生器により空気の振動に変換し音波として自由空間の空気中に発射し、
自由空間を伝播する一般電波をアンテナにより受信し共振回路により特定周波数の電波に同調してこの電波の強弱に応じた微弱な高周波電気信号を生成し、この高周波電気信号を信号再生部により検波してその中に含まれる低周波の有意電気信号を検出し、
任意時間において前記有意信号と前記基準メモリから読み出した前記波形特性とを比較部が比較し、これらが互いに類似する場合は、前記発信器の近傍に、空気の振動である音波を音声電気信号に変換してこの音声電気信号を搬送波高周波信号で変調して空間に電波として送信する盗聴器が存在する可能性あるとの警告信号を発生し、通信部がこの警告信号を受けて、前記有意信号と当該盗聴器検知装置のＩＤとをインターネットを介してセンターの管理者コンピュータに送信し、
前記センターのＣＰＵは、前記有意信号と前記ＩＤを受信し、前記ＩＤが顧客ファイルにある識別コードＩＤと一致するかどうかを検索し、このシステムの加入者であることを確認し、次ぎに前記有意信号中に音声信号があれば、音声がリアルタイムでスピーカーから聞こえようにし、前記管理者コンピュータ側に常駐している常勤管理者に知らせ、
更に当該ＩＤに該当する属性応報を表示部に表示するとともに、警告部から警報信号Ｒを読出し、表示部に警報を表示して、
前記管理者は属性応報に基き、前記盗聴器検知装置の責任者に電話や電子メールにより伝達するようにしたインターネットを利用した【０００９】  請求項３では、断続により規定される一定パターンの探査電気信号を電気発振器から発生し、この探査電気信号に関し時間経過に対応する強度変化状態を示す波形特性をあらかじめ基準メモリに記録しておき、前記探査電気信号を音波発生器により空気の振動に変換し音波として自由空間の空気中に発射し、
自由空間を伝播する一般電波をアンテナにより受信し、このアンテナと組になり特定周波数の電波に同調してこの電波の強弱に応じた微弱な高周波電気信号を共振回路により生成し、この高周波電気信号を信号再生部により検波してその中に含まれる低周波の有意電気信号を検出し、
任意時間において前記信号再生部が検出した有意信号と前記基準メモリから読み出した前記波形特性とを比較部により比較して、当該有意信号と前記波形特性とが類似する場合は、前記音波発生器の近傍に、空気の振動である音声を含む音波を音声電気信号に変換してこの音声電気信号を搬送波高周波信号で変調して空間に電波として送信する盗聴器が存在する可能性あるとの警告信号を発生し、この警告信号と前記有意信号とを入出力部により外部に送信するようにしたことを特徴とする。
【発明の効果】
【００１０】  重要な音声に関し、盗聴器（マイク）による盗聴に対しては対話を開始する前から盗聴器（マイク）の有無を確認することが確実に容易になった。
正確に盗聴器（盗聴装置）の存在の有無を利害関係者が検知することができ、盗聴器設置の有無の判定が、誰にでも早期に安価な費用で可能となり、盗聴器（盗聴装置）の不正使用の予防に貢献できる。会議室など利害関係者が入室する前に、盗聴行為に対してクリーンルームであるかどうかが判定できる、盗聴器設置の有無の判定が可能となった。また、会議室などの利害関係者の責任者が感知しなくても・出来なくても、インターネット上で監視センターの管理者が早期に盗聴器設置の有無の判定を行うことができる。
【発明を実施するための最良の形態】
【実施例】
【００１１】以下、本発明の望ましい実施例について詳細に説明する。
まず、盗聴器検知方法と装置が形成する盗聴器検知システムの参加者には、数多くの加入者、例えばホテル、貸し会議室、喫茶店、個人マンション等の企業がある。これら企業等の応接室や、更には政治家の面会室、官庁の面談室、銀行の商談室、商社の対談室などが実施対象となる。
図１ではこれらの加入者のうちで、１箇所の応接室１を代表として内部配置図を示している。応接室１の室内には丸い複数の椅子３とテーブル４等が配置されている。応接室１には電波探索装置２０が設置され、電波探索装置２０は盗聴器検知装置を形成する。
この電波探索装置２０は応接室１の見えない天井裏に、または見える壁の所定の位置、または壁際の高い小棚に置かれる。【００１２】  室内では図示しない花瓶などの後ろに１００円玉大で小型の盗聴器１０が隠して置かれたと仮定する。盗聴器１０というのは、所定の電波を発生させる集音器であり、空気振動の音声をマイクから入力して電気信号を生成し、この音声信号を更に高周波の搬送波で変調し電波にして応接室１外に発信する。
応接室１外の５０ｍ以内に駐車した自動車に乗った盗聴者がこの電波を受信機２で受信する。盗聴器１０の出力は極めて弱く電波法で定める出力規定以下の装置であるので、個人的趣味用に東京秋葉原の電気街で自由に大量に販売されているものである。
しかしながら悪意で録音された音声データは、盗聴者グループがその後再生し、時として産業スパイ用にまたは、公序良俗に違反して販売しり悪用される。【００１３】  応接室１内の電波探索装置２０は、光ファイバーや電話（通信ケーブル）等の通信回線（ＡＤＳＬ）９によりインターネット１１を介して、この盗聴検知システムを管理するサーバーのセンターコンピュータ１３に接続されている。
インターネット１１には盗聴検知システムに参加している他の多くの顧客の電波探索装置２０が同様に接続されている。管理者コンピュータ１３はセンターＣＰＵ１５や後述する各種顧客ファイル１６や表示部２１等を備えている。【００１４】  電波探索装置２０には、複数のアンテナ２１が設けられ、各アンテナ２１は互いに別の周波数帯を受信する。各アンテナ２１では受信した電波から微弱な起電力を発生し、微弱な起電力は電波探索装置２０の内の情報処理部に送られる。
更に、電波探索装置２０には音波発生装置５と情報処理用のＣＰＵ３３とが設けられている。【００１５】  さて、自然界のこうもりは、暗い夜間に超音波を発振して、林の木々の位置を検知し、又は洞窟内の暗い空間を壁や岩を判断し衝突することなく自由に飛行できる。
本発明では、音波発生装置５を従来の盗聴器検知装置に組み込み電波探索装置２０とし、そこから探索用に音波を空気中に発射し、この音波が未確認装置により捉えられて電波に変換され、今度は電波として自由空間に発射されると、この電波を受信して電気信号に変換し、未確認装置の盗聴器等の存在・非存在を判定する。【００１６】  応接室１の責任者Ｈ１は携帯電話６１を所持し、遠隔地にあるサーバー側の管理者Ｈ２はセンターコンピュータ１３の表示部２１の画面を常時監視し、緊急時には携帯電話６２により責任者Ｈ１に連絡できる。
電波探索装置２０の音波発生装置５から特に一定パターンの音波Ｖを発信する理由は、このシステムに参加した人間が共通に認識できるために予め取り決めた音や音楽にすることを意味している。【００１７】  図２において、マイクは、ピエゾ電気を利用したクリスタルマイク６５と、磁石及びコイルからなる磁石マイク６６とが代表的である。クリスタルマイク６５と磁石マイク６６はともに空気の振動（音声）Ｖを受けると、クリスタルマイク６５は結晶に圧力を受けて振動の強度に応じたピエゾ電気を発生する。磁石マイク６６ではバネ状の永久磁石板Ｍが空気の振動（音声）により、動くと隣接したコイルＣに電磁誘導により起電力が発生する。これらはともに空気の振動エネルギーを電気エネルギーに変換している。【００１８】  次に、図３、図４において音波発生装置５の詳細を説明する。
この音波発生装置５には音楽蓄積装置例えばＣＤプレーヤーや半導体メモリに曲を蓄積するｉｐｏｔや磁気テープ式ウォークマンなどの音声再生装置を使用してもいい（市販商品）。その場合曲名や歌名について予め一定のものを取り決めておく。【００１９】  音波発生装置５は交流の探査電気信号を発生する電気発振器６０とクリスタル発振素子６７や磁石発振素子６８から構成される。
電気発振器６０から交流信号がクリスタル発振素子６７に付加されると、この周波数に応じて振動し、音波を空中に発射する。同様に磁石発振素子６８のコイルに交流信号が付加されると、鉄心が電磁石となり、薄い鉄板を振動させるので、音波や音波を空中に発射する。【００２０】  図５において、電気発振器６０の詳細を説明する。
電気発振器６０は単純発振部７０と周波数設定部７１と一定パターンを指定するゲート回路７２とパターン設定部７３から構成される。
単純発振部７０は可変コンデンサーとコイルとトランジスターからなるので、この設計方法は公知の基本的な電子回路であり具体的な説明を省略する。【００２１】  単純発振部７０は音波とほぼ同一の周波数の交流信号を発生し、その正確な周波数は周波数設定部７１により指定される。周波数設定部７１はコンデンサーの容量（周波数に較正された）を指定している。単純発振部７０から交流信号がゲート回路７２に送られる。
パターン設定部７３はゲート回路７２のオン・オフパターンを指定するものである。これら回路の設計方法も公知の基本的な原理であるので、具体的な説明を省略する。【００２２】  図５で、単純発振部７０とゲート回路７２とから出力される信号波形を説明する。
単純発振部７０から連続した所定Ｈｚの交流信号Ｆが発振されゲート回路７２に送られる。パターン設定部７３の設定により、ゲート制御信号がゲート回路７２に指令として送られる。
このゲート制御信号は時間経過とともに、例えばＴ１期間オン・ｔ１期間オフ・Ｔ２期間オン・ｔ２期間オフ、Ｔ１期間オン・ｔ１期間オフ・Ｔ２期間オン・ｔ２期間オフ、・・・の繰り返しパターンとなっている。このゲート回路７２から連続した音波とほぼ同一の周波数の交流信号が、断続して飛び飛びの交流信号ＦＱとして出力される。【００２３】  断続して飛び飛びの交流信号ＦＱが探査電気信号となり、音波発生器５のクリスタル発信素子６７や磁石発信素子６８に与えられる。その結果これらが振動してこの探査電気信号ＦＱを空気の振動に変換し、断続性の音波Ｖとして自由空間の空気中に発射される。音波Ｖや音波の発生原理は初等物理で公知であり、マイクの場合と動作が逆となっている。
断続性の探査電気信号ＦＱは、元の連続した交流信号Ｆが仮に２００Ｈｚから２０ＫＨｚの範囲のものであれば、断続性の波形の音波はいわゆるモールルス信号の「ト・ツー」「ト・ツー」・・・となって聞くことができる。【００２４】  次に、電波探索装置（盗聴器検知装置）２０の全体構成を図６で説明する。
電波探索装置２０はＲＯＭ８と周波数スキャン部２３と増幅・検波器２６と記録用メモリ２４と基準メモリ２７と比較部２８と読み出し部２９と通信部３１と警報ランプ又はブザー３２とこれらに時間（クロック）信号を与えて制御するＣＰＵ３３とから構成され、更に、前述のアンテナ２１と音波発生装置５とが電波探索装置２０と一体的に設けられている。
ＲＯＭ８内には当該電波探索装置２０の所有者（責任者）のＩＤコードと属性の氏名、住所、電話、図１の配置図面、携帯電話等の情報が登録されている。【００２５】  周波数スキャン部２３は、コイルとコンデンサーからなる同調回路であって、例えば各アンテナ２１が受け持つ各周波数帯１ＭＨｚ〜２ＧＨｚ、２ＧＨｚ〜４ＧＨｚ、４ＧＨｚ〜６．４ＧＨｚを所定時間毎に順時切り替（Ｌ・Ｃを変化）えて、到来電波に同調する。共振して捉えた電波の微弱起電力を次の増幅・検波器２６に伝達する。【００２６】  増幅・検波器２６は、周波数スキャン部２３で同調された搬送波電波を増幅し、その後搬送波から音声信号、即ち低周波の有意電気信号を検波して、音声信号波形データＥを出力する。
記録用メモリ２４は、周波数スキャン部２３から送られた周波数ＭＨｚ、波形（スペクトラム）と、増幅・検波器２６から送られた電界強度Ｅ０、音声信号波形データＥを記録する。【００２７】  基準メモリ２７には、予め断続性の探査電気信号ＦＱの波形が記録されており、探査電気信号ＦＱに関し時間経過に対応する強度変化状態を示す図５の波形である。
比較部２８では基準メモリ２７から読み出した探査電気信号ＦＱと増幅・検波器２６からの音声信号波形データＥとを比較し、これらが互いに類似すれば、警告信号Ｋを発生して読み出し部２９とＣＰＵ３３に向けて出力する。【００２８】  読み出し部２９は警告信号Ｋを受けて、記録用メモリ２４から時間ｔｈに対応した音声信号波形データＥと受信周波数ＭＨｚや、波形（スペクトラム）、電界強度Ｅｈ等を読み出し、通信部３１に向けてこれらデータを警告信号Ｋとともに出力する。ＣＰＵ３３はＲＯＭ８から当該盗聴器検知装置２０の所有者（責任者）のＩＤコードと属性を読み出し、通信部３１に送る。
警報ランプ又はブザー３２は警告信号Ｋを受けると、発光や警報音を発生する。【００２９】  通信部３１は、警告信号Ｋを受けて、読み出し部２９から受けたこれらデータ及びＣＰＵ３３から受けた当該盗聴器検知装置２０の所有者（責任者）のＩＤコードと属性とをインターネット１１を介して管理者コンピュータ１３に送信する。【００３０】次に、図７で管理者コンピュータ１３を説明する。管理者コンピュータ１３は通信制御部１４とセンター中央制御部ＣＰＵ１５と演算用メモリ１２と顧客ファイル１６と記憶装置１９とキー１８と表示部ＬＣＤ２１と警告部３２と警報ランプ３６とを備えている。中央制御部ＣＰＵ１５は所定プログラムに従いこれら各部を制御する。管理者コンピュータ１３側には常時管理者Ｈ２が勤めて表示部ＬＣＤ２１と警報ランプ３６とを監視している。【００３１】  通信制御部１４は、管理者コンピュータ１３をインターネット１１を介して複数の盗聴器検知装置２０と通信する。
顧客ファイル１６には盗聴装置検知システムに参加している各応接室１の所有者や責任者や運営者に関するデータを予め記録している。盗聴器検知装置２０の責任者に係わるＩＤコード、氏名、住所、電話、図１の室内配置図面、携帯電話等の情報は、このシステムに参加する際に双方の契約に従って登録される。
キー１８により管理者は、新たな参加者を顧客ファイル１６に追加する。【００３２】  記憶装置１９にはインターネット１１を介して各地の電波探索装置２０から送られてきた通常連絡データと観測電波のデータＤと音声信号とが各ＩＤデータ及び監視時間と対応付けて記録される。
通常プログラム３４と緊急プログラム３５とはインターネット１１を介して盗聴器検知装置２０に向けて送られる命令である。
通常プログラム３４を受けた時に盗聴器検知装置２０の周波数スキャン部２３は、各周波数帯を均等に所定時間間隔に順時切り替（Ｌ・Ｃを変化）えて、到来電波に同調する。
緊急プログラム３５を受けた時に周波数スキャン部２３は、警告信号Ｋを発生した周波数帯に時間をかけて、或は繰返し同調（チューニング）するようにする。【００３３】  次に動作を説明する。
図１において、盗聴器検知装置２０の音波発生装置５は常時音波Ｖを自由空間の空気中に発射している。この音波は図５の一定パターンであり、例えば可聴音波に変換すると、「ト・ツー」、「ト・ツー」の繰返し音である。
この動作は、音波発生装置５の電気発振器６０では、断続により規定される一定パターンの探査電気信号ＦＱを発振して行なわれる。
即ち、周波数設定部７１で指定された周波数、所定Ｈｚの交流電気信号を単純発振部７０が発生し、パターン設定部７３が設定した一定パターンのゲート開閉に従ってゲート回路７２が探査電気信号ＦＱを発生する。【００３４】  探査電気信号ＦＱを受けた音波発生器６７，６８の振動により電気信号を空気の振動に変換して一定パターンの音波Ｖが自由空間の空気中に発射される。
応接室１に設置された盗聴器検知装置２０の近傍に、盗聴器１０が設置されていると、図２に示す（盗聴器１０の）マイク６５、６６は、この一定パターンの音波を捉えて、搬送波高周波信号で変調して空間に例えば盗聴電波、２、５ＧＨｚを送信する。
マイク６５、６６は、空気の振動である音波Ｖが音声電気信号に変換され、搬送波高周波信号で変調され空間に盗聴電波として送信される。
このように盗聴器検知装置２０から音波Ｖを空間に発射して、盗聴器１０を誘い出して探査する。【００３５】  一方盗聴器検知装置２０のアンテナ２１では、常時自由空間を伝播する盗聴電波を周波数スキャン部２３でスキャンの途中で受信する。同時に共振回路により特定周波数の盗聴電波に同調してこの盗聴電波の強弱に応じた微弱な高周波電気信号を生成している。
盗聴電波の高周波電気信号を信号再生部２６により検波してその中に含まれる低周波の有意電気信号Ｅを検出する。【００３６】  比較部２８では、捉えた有意電気信号Ｅと基凖メモリ２７から読み出した（波形特性が知られている）探査電気信号ＦＱとを比較する。
これらが互いに類似する場合は、比較部２８は警告信号Ｋを発生し、通信部３１とＣＰＵ３３に伝える．
警告信号Ｋを受けて、通信部３１は有意電気信号Ｅと警告信号Ｋ及び当該盗聴器検知装置２０のＩＤとその属性情報をインターネット１１を介してセンターの管理者コンピュータ１３に送信する。【００３７】  前記センターのＣＰＵ１３は、前記有意電気信号Ｅと前記ＩＤとその属性情報を受信し、前記ＩＤが顧客ファイル１６にある識別コードＩＤと一致するかどうかを検索して、このシステムの加入者であることを確認する。
更に応接室１内に音波Ｖ以外に音波があり、有意電気信号Ｅ中に音声信号があれば、音声がリアルタイムでスピーカー３７から聞こえようにする。
次に、センターのＣＰＵ１３は、有意電気信号Ｅと前記ＩＤを記憶装置１９に記録し、更に当該ＩＤに該当する属性情報を表示部２１に表示する。【００３８】  有意電気信号Ｅと警報信号を読出し、スピーカー３７から聞こえるようにし、表示部２１に警報を表示して、管理者コンピュータ側に常駐している常勤管理者Ｈ２に知らせる。
有意電気信号Ｅが予め関係者の間で取り決めた音楽であれば、常勤管理者Ｈ２は容易に正確に盗聴器１０の存在を確認できる。
管理者Ｈ２は属性情報を見て、盗聴器検知装置２０の責任者Ｈ１に電話６２や電子メールにより伝達する。
このように、本発明によると、盗聴器１０の存在の有無を、応接室１に人の出入りがなく人声が無い状態でも、常にチェックできるので安全な保安環境を持続的に維持できる効果がある。【００３９】  本発明を実施例によって詳細に説明したが、本発明は実施例によって限定されず、本発明が属する技術分野において通常の知識を有するものであれば本発明の思想と精神を離れることなく、本発明を修正または変更できる。
【産業上の利用可能性】
【００４０】  現代人が、避けることができない盗聴という外部からの侵害に充分対応できる。既存のカメラ監視システムと組み合わせると、完璧な盗聴予防システムが構築できる。本発明のシステムはコンパクト化が可能であり、それによって一般個人や中小企業人らに至るまで多様な階層で安い値段で、場所にかかわらず簡便に普及し、使用することができる。
【図面の簡単な説明】
【００４１】
【図１】この発明のインターネットを利用した盗聴器検知装置の全体構成を示す図である。
【図２】音波による音波を電気信号に変換するマイクの構成図である。
【図３】この発明に利用する電気発振器と音波発生装置の構成を示す図である。
【図４】取気発振器と音波発生装置の詳細を説明するための図である。
【図５】この発明に利用すると超音波を発生させる探査電気信号の波形を示す図である。
【図６】この発明の盗聴器検知装置の詳細な構成を示す図である。
【図７】この発明の管理者コンピュータの構成を示す図である。
【符号の説明】
【００４２】  １  応接室
２  受信機
５  音波発生装置
８  ＲＯＭメモリ
９  通信回線
１０  盗聴装置
１１  インターネット
１３  管理者コンピュータ
１４  通信制御部
１５  センターＣＰＵ
１６  顧客ファイル
１８  判定部
１９  記憶装置
２０  盗聴器検知装置
２１  アンテナ
２１  表示部ＬＣＤ
２３  周波数スキャン部
２４  メモリ
２６  増幅・検波部
２７  基準メモリ
２８  比較部
３１  通信部
３２  警告部
３３  ＣＰＵ
３６  警報ランプ
３７  スピーカー
３８  映像・音声分離回路
６０  電気発振器
７０  単純発振部
７１  周波数設定部
７２  ゲート回路
７３  パターン設定部
Ｅ    有意電気信号
ＦＱ  探査電気信号
Ｋ    警告信号
【図１】
2008250968.tif 000003
【図２】
2008250968.tif 000004
【図３】
2008250968.tif 000005
【図４】
2008250968.tif 000006
【図５】
2008250968.tif 000007
【図６】
2008250968.tif 000008
【図７】
2008250968.tif 000009